(57)【要約】【課題】  印刷物に表示された印刷情報について、種々の使用態様に応じた読取り制限を可能とし、偽造防止および円滑な使用流通の双方を達成する。【解決手段】  読取部１１は印刷物に表示された印刷情報を読取る。検出部１９は印刷物に付されたＲＦＩＤチップに格納された重要度レベル情報を検出する。記憶部９は当該装置に固有の読取許可レベル情報を格納する。読取制御部７は検出重要度レベル情報が読取許可レベル情報に基づく読取り許可範囲外にあるとき、読取部１１の読取り動作を禁止制御する。【選択図】  図１
2007201987.tif 000002
【特許請求の範囲】
【請求項１】
印刷物に表示された印刷情報を読取る読取部と、
この読取部で読取る前記印刷情報の読取可否情報であって当該印刷物に付されたＲＦＩＤチップに格納された当該読取可否情報を検出する検出部と、
前記印刷物の印刷情報を読取り許可するための読取許可レベル情報を格納した記憶部と、
検出した前記読取可否情報が前記読取許可レベル情報に基づく読取り許可範囲外にあるとき前記読取部の読取り禁止制御をする読取制御部と、
を具備することを特徴とする印刷情報読取制御装置。
【請求項２】
前記読取可否情報は重要度レベル情報であり、前記読取制御部は検出した当該重要度レベル情報が前記読取許可レベル情報に基づく読取り許可範囲外にあるとき読取り禁止制御をするものである請求項１記載の印刷情報読取制御装置。
【請求項３】
前記読取制御部は、検出した前記読取可否情報が読取禁止情報であるとき前記読取りを禁止制御するものである請求項１又は２記載の印刷情報読取制御装置。
【請求項４】
前記検出部は、前記読取部の起動後に検出動作をするものである請求項１〜３のいずれか１項記載の印刷情報読取制御装置。
【請求項５】
前記記憶部は、前記読取許可レベル情報が外部から設定可能に形成されてなる請求項１〜４のいずれか１項記載の印刷情報読取制御装置。
【請求項６】
検出した前記読取可否情報がネットワークを介して外部の管理サーバに出力可能に形成されてなる請求項１〜５のいずれか１項記載の印刷情報読取制御装置。
【請求項７】
印刷物に表示された印刷情報を読取り制御する印刷情報読取制御用コンピュータにおいて、
前記印刷物に表示された前記印刷情報を読取る読取処理と、
前記印刷情報の読取可否情報であって前記印刷物に付されたＲＦＩＤチップに格納された当該読取可否情報を検出する検出処理と、
検出した前記読取可否情報が、予め設定された読取許可レベル情報に基づく読取り許可範囲外にあるとき前記印刷情報の読取り禁止制御をする読取制御処理と、
を実行するための印刷情報読取制御プログラム。
【発明の詳細な説明】
【技術分野】
【０００１】
本発明は印刷情報読取制御装置および印刷情報読取制御プログラムに係り、例えば金券（バウチャー）、紙幣、小切手、領収証等、重要度の高い印刷物の偽造を防止可能な印刷情報読取制御装置および印刷情報読取制御プログラムに関する。
【背景技術】
【０００２】
従来、それら金券や紙幣等の印刷物から複写機を用いて偽造されるのを防止する方法として、複写機内に金券や紙幣等の図柄パターンを設定しておき、印刷時に読取った図柄パターンが複写禁止図柄パターンに一致するとき複写動作を停止する技術が提案されている。
【０００３】
ところが、このような複写機では、複写時に読取った図柄パターンが複写禁止図柄パターンに該当するか否かの解析を行っているだけなので、金券や紙幣等の汚れや損傷に弱く判読にも時間がかかるうえコスト高になり易いうえ、新規の金券や紙幣等が発行される都度、新たな複写禁止図柄パターンを設定する必要が生じてメンテナンスが煩雑である。
【０００４】
そこで、金券や紙幣等の印刷物に無線タグを埋め込み、複製管理やセキュリティ管理ができるようにした文書管理システムも提案されている。
【０００５】
例えば、ネットワークを介して接続され印刷物の複写を行う複写装置において、複写対象の用紙中に埋め込まれた無線タグを検知してその無線タグに書き込まれている文書の識別子および無線タグの識別子とを読み込む無線タグ入力部と、当該読取った文書の識別子および無線タグの識別子を文書サーバへ送って複製可否を問い合わせる検索部とを有し、その無線タグ入力部で用紙中の無線タグが検知され、その検索部からの問い合わせ結果が複製否のとき複写を禁止する構成が知られている（特許文献１参照）。
【特許文献１】特開２００５−０３５０９５号公報
【発明の開示】
【発明が解決しようとする課題】
【０００６】
しかしながら、特許文献１に記載された文書管理システムは、用紙中の無線タグを無線タグ入力部が検知したとき文書サーバへ複製可否を問い合わせ、その問い合わせ結果が複製否のとき複写を禁止するものであり、単に、複写を禁止するだけのものであって読取った印刷情報が流用されるおそれがある。
【０００７】
他方、上述した重要な印刷物であっても、実際の使用や流通の過程において必ずしも複写を一律に禁止する必要がなかったり、一律に複写を禁止すると、却って使用や流通に支障を来す場合も予想され、偽造の確実な防止と円滑な使用流通の双方に寄与する観点から改良すべき余地がある。
【０００８】
本発明はそのような課題を解決するためになされたもので、印刷物に表示された印刷情報についての態様に応じた読取り制限が可能で、偽造防止および円滑な使用流通の双方に有用な印刷情報読取制御装置および印刷情報読取制御プログラムの提供を目的とする。
【課題を解決するための手段】
【０００９】
そのような課題を解決するために本発明に係る印刷情報読取制御装置は、印刷物に表示された印刷情報を読取る読取部と、この読取部で読取る印刷情報の読取可否情報であって当該印刷物に付されたＲＦＩＤチップに格納された当該読取可否情報を検出する検出部と、その印刷物の印刷情報を読取り許可するための読取許可レベル情報を格納した記憶部と、検出した当該読取可否情報が読取許可レベル情報に基づく読取り許可範囲外にあるときその読取部の読取り禁止制御をする読取制御部とを具備している。
【００１０】
そして、本発明では、上記読取可否情報を重要度レベル情報とし、検出した当該重要度レベル情報がその読取許可レベル情報に基づく読取り許可範囲外にあるとき読取り禁止制御をするよう上記読取制御部を形成する構成も可能である。
【００１１】
また、本発明では、検出した読取可否情報が読取禁止情報であるとき前記読取りを禁止制御するよう上記読取制御部を形成する構成も可能である。
【００１２】
さらに、本発明では、上記読取部の起動後にその検出部が検出動作をするよう形成する構成も可能である。
【００１３】
さらにまた、本発明では、その読取許可レベル情報が外部から設定可能に上記記憶部を形成する構成も可能である。
【００１４】
また、本発明では、検出した読取可否情報がネットワークを介して外部の管理サーバに出力可能に構成可能である。
【００１５】
そして、本発明に係る印刷情報読取制御プログラムは、印刷物に表示された印刷情報を読取り制御する印刷情報読取制御用コンピュータにおいて、その印刷物に表示された印刷情報を読取る読取処理と、その印刷情報の読取可否情報であって印刷物に付されたＲＦＩＤチップに格納された当該読取可否情報を検出する検出処理と、検出した読取可否情報が予め設定された読取許可レベル情報に基づく読取り許可範囲外にあるとき印刷情報の読取り禁止制御をする読取制御処理とを実行するものである。
【発明の効果】
【００１６】
このような本発明に係る印刷情報読取制御装置および印刷情報読取制御プログラムでは、印刷物に表示された印刷情報を読取り、その印刷情報の読取可否情報であって印刷物に付されたＲＦＩＤチップに格納された当該読取可否情報を検出し、検出した当該読取可否情報が、その印刷情報を読取り許可するための読取許可レベル情報に基づく読取り許可範囲外にあるときその印刷物の読取りを禁止制御するから、印刷物自体又はこれに表示された印刷情報の態様に応じた読取り制限が可能となり、偽造防止および円滑な使用流通の双方に有用である。
【００１７】
そして、上記読取可否情報を重要度レベル情報とし、検出した当該重要度レベル情報がその読取許可レベル情報に基づく読取り許可範囲外にあるとき読取り禁止制御するよう上記読取制御部を形成する構成では、種々の重要度レベルに応じた読取り防止が可能となる。
【００１８】
また、検出した読取可否情報が読取禁止情報であるとき上記読取りを禁止制御するよう上記読取制御部を形成する構成では、印刷物からの読取り動作を一律に禁止させることが可能である。
【００１９】
さらに、上記読取部の起動後にその検出部が検出動作するよう構成すれば、その読取部の起動後にＲＦＩＤチップから読取可否情報を読取ることが可能となり、不要な読取りを防止できる。
【００２０】
さらにまた、その読取許可レベル情報が外部から設定可能に上記記憶部を形成する構成では、種々の読取り条件の設定が可能となり、幅広い使用状況を確保できる。
【００２１】
また、検出した読取可否情報がネットワークを介して外部の管理サーバに出力可能する構成では、外部の管理サーバ側でその履歴管理等が可能となる。
【発明を実施するための最良の形態】
【００２２】
以下、本発明に係る実施の形態を図面を参照して説明する。
【００２３】
図１は本発明に係る印刷情報読取制御装置を示すブロック図であり、便宜上、それを搭載したスキャナー装置とともに示すものである。
【００２４】
図１において、通信部１は、有線又は無線ネットワーク３を介して外部の例えば管理サーバ５に接続されており、この管理サーバ５との間で後述するデータを送受信するものであり、読取制御部７に接続されている。
【００２５】
読取制御部７は、金券、紙幣、小切手、領収証等の重要度の高い印刷物に表示された印刷情報の読取りを制御する機能の他、後述する機能を有する。
【００２６】
記憶部９は、読取制御部７の制御の下で、印刷物に表示された印刷情報の読取りを許可するか否かの読取許可レベル情報その他を、予め読み書き可能に格納したもので、読取制御部７に接続されている。
【００２７】
読取許可レベル情報としては、重要度順すなわち読取りを許可する条件の厳しい順のレベル１、レベル２、レベル３のうち何れか1個が、当該印刷情報読取制御装置すなわち後述するスキャナー装置１３に固有の固有重要度レベルとして設定されている。
【００２８】
読取部１１は、読取制御部７の制御の下、印刷物に表示された印刷情報を光学的に読取り、電子的画像データを出力する従来公知のものである。
【００２９】
例えば、図２に示すように、スキャナー装置１３に配置された自動給紙部１５（図１では単に給紙部と略す。）から図示しない印刷物が読取り動作領域（図示省略）に搬送されるとともに排紙部１７から吐き出される過程で、印刷物に対してスキャンさせた光に基づき電子データに変換して読取り、例えばビットマップ形式その他のデータ形式で出力するものである。
【００３０】
上述した通信部１、読取制御部７および記憶部９は、スキャナー装置１３から抜き出して図示されているが、一般には内蔵されるものであるし、スキャナー装置１３は印刷物を自動給紙して搬送されるタイプに限定されない。
【００３１】
図１に戻って、検出部１９は、読取部１１の近傍において、印刷物の読取り搬送路に向けて配置されたセンサであり、後述するように、微弱電磁波を印刷物の読取り搬送路に向けて発射するとともに、印刷物に付されたＲＦＩＤチップ（図示省略）からの電磁波を受信し、読取制御部７の制御の下で、ＲＦＩＤチップに予め格納された読取可否情報その他を非接触で読取るものである。
【００３２】
ＲＦＩＤチップは、例えば印刷物に埋め込むよう又は表面に止着された極小さい１mm角程度の半導体チップであり、予め次のような情報が読み書き可能に格納されている。
【００３３】
すなわち、図３に示すように、個々のＲＦＩＤチップ自体を識別するための番号や符号の組合せである（１）ＲＦＩＤチップ固有ＩＤ、ＲＦＩＤチップの（２）行者名、発行者の属する国を示す（３）国情報、ＲＦＩＤチップを付す（４）文書（印刷物）名称、発行者管理用の（５）発行連続番号、ＲＦＩＤチップの付された印刷物の印刷情報の読取りを禁止するか否かの（６）読取禁止情報（読取可否情報）、ＲＦＩＤチップの付された印刷物の重要度に対応して印刷情報の読取りを許可するか否かのレベルを示す（７）重要度レベル情報（読取可否情報）、（８）その他を１６ビット又は３２ビット程度の電子データとして格納したマイクロチップである。
【００３４】
読取可否情報としての重要度レベル情報は、上述したように、記憶部９に格納されたレベル１、レベル２、レベル３の複数レベルのうちの何れかと同じ情報例えばレベル名である。
【００３５】
ＲＦＩＤチップは、例えば検出部１９から伝搬させた微弱電磁波を電源として動作して内部の格納データを外部へ伝搬させるが、従来公知のものであるからその詳細な説明は省略する。
【００３６】
読取制御部７は、検出したその読取可否情報すなわち重要度レベル情報を判別するとともに、記憶部９に設定されている読出許可レベル情報と比較し、重要度レベル情報の方が読出許可レベル情報よりも高いレベルであって読取り許可範囲外にあるとき、上述した読取部１１を起動させず又は起動された読取り動作を停止して読取り禁止制御し、読取り印刷情報を出力させない機能を有している。
【００３７】
一方、読取制御部７は、検出された重要度レベル情報が読出許可レベル情報と同じ又は読出許可レベル情報よりレベルが低くて読取り許可範囲であるとき、読取部１１を起動させ又は起動させて読取り動作制御し、読取り印刷情報を出力する機能を有している。
【００３８】
また、読取制御部７は、検出した読取可否情報に読取禁止情報があると判別したとき、重要度レベル情報の有無に関わりなく、読取部１１を起動させず、又は起動後の読取動作を無条件に停止して読取り禁止制御し、印刷情報をさせない機能を有している。
【００３９】
なお、読取制御部７を中心とする通信部１や記憶部９等は、例えば図示しない種々の演算判断機能を有するＣＰＵ、このＣＰＵの動作プログラムを格納したＲＯＭおよび入出力インターフェースを有する印刷制御用のマイクロコンピュータで構成されており、スキャナー装置１３に搭載した従来機能を担うマイクロコンピュータにて兼用構成可能である。
【００４０】
このような本発明に係る印刷情報読取制御装置では、印刷物に表示された印刷情報を読取る読取部１１と、その印刷物に付されたＲＦＩＤチップに格納された重要度レベル情報を検出する検出部１９と、当該印刷情報読取制御装置に固有の読取許可レベル情報を格納した記憶部９と、検出したその重要度レベル情報がその読取許可レベル情報に基づく読取り許可範囲外にあるときその読取部１１を起動させず又は起動された読取り動作を禁止制御する読取制御部７とを具備している。
【００４１】
そのため、記憶部９に設定した固有の読取許可レベル情報より高い重要度レベルの読取りを禁止することが可能となるから、基準とする読取許可レベル情報のレベルを上げれば、印刷物の複写をごく限定された範囲に止めて印刷情報を出力させずに偽造防止が確実となる一方、基準とする固有読取許可レベル情報のレベルを下げれば、印刷物の複写を広範囲に認めることが可能となって使用や流通に支障を来さない。
【００４２】
そのため、印刷物自体又は表示された印刷情報に関する種々の重要度レベルに応じた読取り制限が可能で、偽造防止および円滑な使用流通の双方に有用である。
【００４３】
また、読取制御部７は、検出した読取可否情報が読取禁止情報であれば、無条件に読取部１１の読取り動作を禁止制御するから、ＲＦＩＤチップに読取禁止情報を格納しておけば、印刷物の印刷情報の読取り動作を一律に禁止させることが簡単にできる。
【００４４】
さらに、印刷物の読取り搬送路において読取部１１より上流側に検出部１９を配置し、読取部１１の起動後、特に、読取り動作中に検出部１９の検出動作をさせれば、重要レベル情報を不必要に検出するのを防止できる。
【００４５】
そして、本発明に係る印刷制御装置は、上述した実施の形態に限定されない。
【００４６】
すなわち、ネットワーク３および通信部１を介して管理サーバ５から固有の読取許可レベル情報を記憶部９に格納可能に構成可能であり、それに合わせて読取制御部７および記憶部９を形成すれば良い。
【００４７】
このように、記憶部９に格納する固有の読取許可レベル情報データを管理サーバ５側から設定可能に構成すれば、種々の状況に応じて個々のスキャナー装置１３毎に読取り条件を設定可能となり、幅広い使用状況を確保できる。
【００４８】
さらに、本発明では、検出部１９から得られた読取可否情報としての重要度レベル情報および又は読取り禁止情報その他ＲＦＩＤチップからの検出情報データを、通信部１およびネットワーク３を介して管理サーバ５側に伝送可能に構成可能であり、それに合わせて読取制御部７を形成すれば良い。
【００４９】
このように、印刷物から読取った重要度レベル情報および読取り禁止情報等を管理サーバ５側に伝送可能に構成すれば、管理サーバ５側でその履歴管理が可能となる。
【００５０】
なお、本発明に係る印刷情報読取制御装置は、スキャナー装置１３以外に複写機その他に搭載可能である。
【００５１】
ところで、本発明に係る印刷情報読取制御プログラムにつき言及すれば、上述した読取制御部７、記憶部９、読取部１１、検出部１９等の機能を有する印刷情報読取制御用コンピュータにおいて、その印刷物に表示された印刷情報を読取る読取処理と、その印刷情報の読取可否情報であって印刷物に付されたＲＦＩＤチップに格納された当該読取可否情報を検出する検出処理と、検出した読取可否情報が予め設定された読取許可レベル情報に基づく読取り許可範囲外にあるとき印刷情報の読取り禁止制御をする読取制御処理とを実行するものである。
【図面の簡単な説明】
【００５２】
【図１】本発明に係る印刷情報読取制御装置の実施の一形態を示すブロック図である。
【図２】スキャナー装置の概略を示す図である。
【図３】ＲＦＩＤチップ内の情報例を概略的に示す図である。
【符号の説明】
【００５３】
１  通信部
３  ネットワーク
５  管理サーバ
７  読取制御部
９  記憶部
１１  読取部
１３  スキャナー装置
１５  自動給紙部
１７  排紙部
１９  検出部
【図１】
2007201987.tif 000003
【図２】
2007201987.tif 000004
【図３】
2007201987.tif 000005